(57)【要約】【課題】  ヘアピン状に屈曲しても空気の流通が遮断されないマット用チューブを用いることにより、単純な構成で空気の循環による暖房や冷房が行えるエアーマット及びエアーベッドを提供する。【解決手段】  軟質ゴム又は軟質樹脂等の軟質材料で形成された屈曲性を有するチューブとスパイラル状に加工して前記チューブ内に挿入された可撓性を有するスパイラル線材とで構成されるマット用チューブを、同一平面内に配管してエアーマット及びエアーベッドを形成する。【選択図】  図１
2006255341.tif 000002
【特許請求の範囲】
【請求項１】
軟質ゴム又は軟質樹脂等の軟質材料で形成された屈曲性を有するチューブと、スパイラル状に加工して前記チューブ内に挿入された可撓性を有するスパイラル線材と、で構成されることを特徴とするマット用チューブ。
【請求項２】
前記チューブの内径を基準とする断面積は、前記線材のスパイラルの外径を基準とする断面積の略２倍であることを特徴とする請求項１記載のマット用チューブ。
【請求項３】
前記マット用チューブを同一平面内に配管して形成したことを特徴とするエアーマット。
【請求項４】
前記マット用チューブを同一平面内に配管して形成したことを特徴とするエアーベッド。
【請求項５】
略矩形のマット下側シートと、前記マット下側シートと略同形のマット上側シートのそれぞれ周辺を接合して形成したマット用袋体と、
前記マット用チューブを、前記マット用袋体の内部で、前記マット用袋体の横方向と略同長で交互にヘアピン状に屈曲させ、前記マット用袋体の縦方向と略同長となるように形成したマット本体と、
前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とするエアーマット。
【請求項６】
前記マット下側シートは前記マット上側シートよりも肉厚のシートで形成されることを特徴とする請求項５記載のエアーマット。
【請求項７】
前記マット用袋体は、前記マット下側シートまたは前記マット上側シートのいずれかに、前記マット用チューブの袋体内部への配管または取り外しを行うための袋体の開閉手段を有することを特徴とする請求項５又は６記載のエアーマット。
【請求項８】
前記マット用袋体は、前記マット用チューブの前記屈曲部分を固定するための繋止手段を有することを特徴とする請求項５から７のいずれか一項記載のエアーマット。
【請求項９】
前記マット用袋体は、袋体の四隅で当該マット用袋体を釣止するための吊りベルトを有することを特徴とする請求項５から８のいずれか一項記載のエアーマット。
【請求項１０】
前記エアーバルブは、前記マット用袋体内の、前記マット本体と同一面内に配置されることを特徴とする請求項５から９のいずれか一項記載のエアーマット。
【請求項１１】
前記エアーバルブは、前記マット下側シートの下面に吊設されることを特徴とする請求項５から１０のいずれか一項記載のエアーマット。
【請求項１２】
前記エアーバルブに、加温または冷却空気を循環させるための空気循環器を更に接続したことを特徴とする請求項５から１１のいずれか一項記載のエアーマット。
【請求項１３】
底面固定台座と、前記底面固定台座から四方に延設され、先端にエアーマットの前記吊りベルトを挿入するための穴部を形成した４本の支持棒と、前記穴部から挿入された前記吊りベルトを張架して、エアーマットを釣止するための釣止金具と、前記吊りベルトと前記釣止金具とを接続するターンバックルと、を備えたことを特徴とするエアーマット用釣止部材。
【請求項１４】
前記エアーマットと、前記エアーマット用釣止部材と、で構成されることを特徴とするエアーベッド。
【請求項１５】
ベッドの縦方向に２本の縦長パイプを有するベッド用架台と、前記マット用チューブを橋架するため、ベッドの縦方向に所定間隔で、前記２本の縦長パイプ上に橋架した複数の横長パイプとで構成されるベッド本体と、
前記横長パイプに沿うように前記マット用チューブを前記２本の縦長パイプ間に交互に橋架させて形成したマット本体と、
前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とするエアーベッド。
【請求項１６】
前記エアーバルブは、前記マット本体の下方であって、前記ベッド用架台で構成される空間内に配置されることを特徴とする請求項１５記載のエアーベッド。
【請求項１７】
前記エアーバルブは、前記横長パイプに吊設されることを特徴とする請求項１５記載のエアーベッド。
【請求項１８】
前記エアーバルブに、加温または冷却空気を循環させるための空気循環器を更に接続したことを特徴とする請求項１５から１７のいずれか一項記載のエアーベッド。
【請求項１９】
前記マット用チューブを挿入してベッドの縦方向に所定間隔で前記マット用チューブをベッドの横方向に掛架するための複数の穴部を、ベッドの縦方向に所定間隔で形成した、長辺方向をベッドの縦方向とする略矩形のボードと、
前記ボードを支持するための脚部と、を備えたことを特徴とするエアーベッド用拡張ボード。
【請求項２０】
前記穴部は、前記ボードの長辺方向に２列形成されることを特徴とする請求項１９記載のエアーベッド用拡張ボード。
【請求項２１】
前記脚部は、少なくとも２種類以上の高さ調節が可能であることを特徴とする請求項１９又は２０記載のエアーベッド用拡張ボード。
【請求項２２】
前記エアーベッド用拡張ボードを、ボードの短辺方向に少なくとも１つ以上連結して形成したベッド本体と、
前記エアーベッド用拡張ボードの前記穴部から挿入した前記マット用チューブを、前記ベッド本体の横方向に掛架して、ベッドの縦方向に所定間隔で形成したマット本体と、
前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とするエアーベッド。
【請求項２３】
前記エアーバルブは、前記エアーベッド用拡張ボードの下方であって、前記脚部で構成される空間内に配置されることを特徴とする請求項２２記載のエアーベッド。
【請求項２４】
前記エアーバルブは、前記エアーベッド用拡張ボードの下面に吊設されることを特徴とする請求項２２記載のエアーベッド。
【請求項２５】
前記エアーバルブに、加温または冷却空気を循環させるための空気循環器を更に接続したことを特徴とする請求項２２から２４のいずれか一項記載のエアーベッド。
【発明の詳細な説明】
【技術分野】
【０００１】  本発明は、エアーベッドに使用するマット用チューブ、マット用チューブを配管して形成するエアーマット及びエアーベッド、エアーマット用釣止部材、エアーベッド用拡張ボードに関する。
【背景技術】
【０００２】  従来、液体を流通させる経路を有するパネルでベッドの上面を構成し、温水を熱媒体として循環させてベッドの暖房を行うベッド用温水暖房装置などが提案されている（例えば、特許文献１参照）。【０００３】  一方、マット内部に空気を充填してクッション性を付与したエアーマット及び当該エアーマットを用いたエアーベッドも多数提案されており、その中にはエアーマットを複数の独立したセルで構成し、床ずれ等を防止するマットレスなどがある（例えば、特許文献２参照）。また、ベッド本体内部から布団の下面に温風を送出し、布団の乾燥等が行えるベッドなども提案されている（例えば、特許文献３参照）。
【特許文献１】特開２００１−２３１６６１号公報（第３−６頁、第１図）
【特許文献２】特開２００５−００６９３９号公報（第４−６頁、第１図）
【特許文献３】特開２００１−３４０１７０号公報（第３−５頁、第１図）
【発明の開示】
【発明が解決しようとする課題】
【０００４】  ところが、上記従来のベッド用温水暖房装置などでは、熱媒体として温水を用いるため、ベッドを含めた装置重量が大きく、移設等が不便であるという問題や、同じパネルでないと水の循環経路の構成や接続が確実に行えないため、汎用性や拡張性に劣るという問題、水を循環させる経路の密封性維持などのメンテナンスが煩雑である等の問題、などがあった。【０００５】  一方、これまで布団の乾燥などを目的として温風を吹き出す方式のベッドは提案されているが、内部に空気を充填するエアーベッドにおいて、エアーマット（即ち、ベッドに伏臥する者）を暖房する目的で加温または冷却した空気をマット内部で循環させる方式のエアーマットは提案されていなかった。加温または冷却した空気を循環させる方式は、水を循環させる方式に比べ、装置構成が単純で軽量化できるため、移設等が便利であり、汎用性・拡張性、メンテナンス性にも優れる。【０００６】  そこで本発明は上記従来の課題に鑑みてなされたものであり、ヘアピン状に屈曲しても空気の流通が遮断されないマット用チューブを用いることにより、単純な構成で空気の循環による暖房や冷房が行えるエアーマット及びエアーベッドを提供することを目的とする。また、当該エアーマットを用いて容易にハンモック調のエアーベッドを作製することができるエアーマット用釣止部材、当該エアーベッドのサイズを容易に変更可能なエアーベッド用拡張ボードを提供することを目的とする。
【課題を解決するための手段】
【０００７】  上記課題を解決するため、本発明のマット用チューブは、軟質ゴム又は軟質樹脂等の軟質材料で形成された屈曲性を有するチューブと、スパイラル状に加工して前記チューブ内に挿入された可撓性を有するスパイラル線材と、で構成されることを特徴とする。
上記構成によれば、ヘアピン状に屈曲しても空気の流通が遮断されないチューブを形成することができる。【０００８】  また、本発明のマット用チューブは、請求項１記載のマット用チューブであって、前記チューブの内径を基準とする断面積は、前記線材のスパイラルの外径を基準とする断面積の略２倍であることを特徴とする。
上記構成によれば、ヘアピン状に屈曲しても空気の流通が遮断されず、且つ屈曲の曲率を小さくすることができる。【０００９】  また、本発明のエアーマットは、前記マット用チューブを同一平面内に配管して形成したことを特徴とする。
上記構成によれば、ヘアピン状に屈曲しても空気の流通が遮断されないマット用チューブを用いることにより、空気循環による簡易冷暖房が可能なエアーマットを容易に形成することができる。【００１０】  また、本発明のエアーベッドは、前記マット用チューブを同一平面内に配管して形成したことを特徴とする。
上記構成によれば、ヘアピン状に屈曲しても空気の流通が遮断されないマット用チューブを用いることにより、空気循環による簡易冷暖房が可能なエアーベッドを容易に形成することができる。【００１１】  また、本発明のエアーマットは、略矩形のマット下側シートと、前記マット下側シートと略同形のマット上側シートのそれぞれ周辺を接合して形成したマット用袋体と、前記マット用チューブを、前記マット用袋体の内部で、前記マット用袋体の横方向と略同長で交互にヘアピン状に屈曲させ、前記マット用袋体の縦方向と略同長となるように形成したマット本体と、前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とする。
上記構成によれば、加温または冷却した空気を循環させることにより、マット全体の冷暖房を容易に行うことができる。【００１２】  また、本発明のエアーマットは、請求項５記載のエアーマットであって、前記マット下側シートは前記マット上側シートよりも肉厚のシートで形成されることを特徴とする。
上記構成によれば、エアーマットの耐久性を向上することができる。【００１３】  また、本発明のエアーマットは、請求項５又は６記載のエアーマットであって、前記マット用袋体は、前記マット下側シートまたは前記マット上側シートのいずれかに、前記マット用チューブの袋体内部への配管または取り外しを行うための袋体の開閉手段を有することを特徴とする。
上記構成によれば、マット用チューブの配管や取り外しが容易に行える。【００１４】  また、本発明のエアーマットは、請求項５から７のいずれか一項記載のエアーマットであって、前記マット用袋体は、前記マット用チューブの前記屈曲部分を固定するための繋止手段を有することを特徴とする。
上記構成によれば、マット用チューブの屈曲部が固定されるため、エアーマットを折り曲げたりしてもマット用チューブの配管のずれを防止できる。【００１５】  また、本発明のエアーマットは、請求項５から８のいずれか一項記載のエアーマットであって、前記マット用袋体は、袋体の四隅で当該マット用袋体を釣止するための吊りベルトを有することを特徴とする。
上記構成によれば、エアーマットを釣止してハンモック調ベッドとして使用することができる。【００１６】  また、本発明のエアーマットは、請求項５から９のいずれか一項記載のエアーマットであって、前記エアーバルブは、前記マット用袋体内の、前記マット本体と同一面内に配置されることを特徴とする。
上記構成によれば、マット用チューブの外径と同じ程度に薄いエアーマットを形成することができる。【００１７】  また、本発明のエアーマットは、請求項５から１０のいずれか一項記載のエアーマットであって、前記エアーバルブは、前記マット下側シートの下面に吊設されることを特徴とする。
上記構成によれば、送風循環機などの外部接続を容易に行うことができる。【００１８】  また、本発明のエアーマットは、請求項５から１１のいずれか一項記載のエアーマットであって、前記エアーバルブに、加温または冷却空気を循環させるための空気循環器を更に接続したことを特徴とする。
上記構成によれば、エアーマット内に空気を循環させて、エアーマットの簡易冷暖房を容易に行うことができる。【００１９】  また、本発明のエアーマット用釣止部材は、底面固定台座と、前記底面固定台座から四方に延設され、先端にエアーマットの前記吊りベルトを挿入するための穴部を形成した４本の支持棒と、前記穴部から挿入された前記吊りベルトを張架して、エアーマットを釣止するための釣止金具と、前記吊りベルトと前記釣止金具とを接続するターンバックルと、を備えたことを特徴とする。
上記構成によれば、エアーマットを釣止してハンモック調ベッドとして使用することができる。【００２０】  また、本発明のエアーベッドは、前記エアーマットと、前記エアーマット用釣止部材と、で構成されることを特徴とする。
上記構成によれば、エアーマットを釣止したハンモック調ベッドにおいて、加温または冷却した空気を循環させることにより、ベッドの冷暖房を容易に行うことができる。【００２１】  また、本発明のエアーベッドは、ベッドの縦方向に２本の縦長パイプを有するベッド用架台と、前記マット用チューブを橋架するため、ベッドの縦方向に所定間隔で、前記２本の縦長パイプ上に橋架した複数の横長パイプとで構成されるベッド本体と、前記横長パイプに沿うように前記マット用チューブを前記２本の縦長パイプ間に交互に橋架させて形成したマット本体と、前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とする。
上記構成によれば、加温または冷却した空気を循環させることにより、ベッドの冷暖房を容易に行うことができる。【００２２】  また、本発明のエアーベッドは、請求項１５記載のエアーベッドであって、前記エアーバルブは、前記マット本体の下方であって、前記ベッド用架台で構成される空間内に配置されることを特徴とする。
上記構成によれば、送風循環機などの外部接続を容易に行うことができる。【００２３】  また、本発明のエアーベッドは、請求項１５記載のエアーベッドであって、前記エアーバルブは、前記横長パイプに吊設されることを特徴とする。
上記構成によれば、送風循環機などの外部接続を容易に行うことができる。【００２４】  また、本発明のエアーベッドは、請求項１５から１７のいずれか一項記載のエアーベッドであって、前記エアーバルブに、加温または冷却空気を循環させるための空気循環器を更に接続したことを特徴とする。
上記構成によれば、ベッドのマット内に空気を循環させて、エアーベッドの簡易冷暖房を容易に行うことができる。【００２５】  また、本発明のエアーベッド用拡張ボードは、前記マット用チューブを挿入してベッドの縦方向に所定間隔で前記マット用チューブをベッドの横方向に掛架するための複数の穴部を、ベッドの縦方向に所定間隔で形成した、長辺方向をベッドの縦方向とする略矩形のボードと、前記ボードを支持するための脚部と、を備えたことを特徴とする。
上記構成によれば、マット用チューブを掛架することにより、簡易冷暖房が可能なエアーベッドのベッド本体を容易に形成することができる。【００２６】  また、本発明のエアーベッド用拡張ボードは、請求項１９記載のエアーベッド用拡張ボードであって、前記穴部は、前記ボードの長辺方向に２列形成されることを特徴とする。
上記構成によれば、所望の列の穴部にマット用チューブを掛架することにより、エアーベッドにおけるマットのサイズを自在に調整することができる。【００２７】  また、本発明のエアーベッド用拡張ボードは、請求項１９又は２０記載のエアーベッド用拡張ボードであって、前記脚部は、少なくとも２種類以上の高さ調節が可能であることを特徴とする。
上記構成によれば、エアーベッドの高さを自在に調整することができる。【００２８】  また、本発明のエアーベッドは、前記エアーベッド用拡張ボードを、ボードの短辺方向に少なくとも１つ以上連結して形成したベッド本体と、前記エアーベッド用拡張ボードの前記穴部から挿入した前記マット用チューブを、前記ベッド本体の横方向に掛架して、ベッドの縦方向に所定間隔で形成したマット本体と、前記マット本体を形成する前記マット用チューブの両端を接続するチューブジョイント部と、外部より前記マット用チューブ内に空気を送出して循環させるための送風ジョイント部とを有するエアーバルブと、を備えたことを特徴とする。
上記構成によれば、加温または冷却した空気を循環させることにより、ベッドの冷暖房を容易に行うことができる。【００２９】  また、本発明のエアーベッドは、請求項２２記載のエアーベッドであって、前記エアーバルブは、前記エアーベッド用拡張ボードの下方であって、前記脚部で構成される空間内に配置されることを特徴とする。
上記構成によれば、送風循環機などの外部接続を容易に行うことができる。【００３０】  また、本発明のエアーベッドは、請求項２２記載のエアーベッドであって、前記エアーバルブは、前記エアーベッド用拡張ボードの下面に吊設されることを特徴とする。
上記構成によれば、送風循環機などの外部接続を容易に行うことができる。【００３１】  また、本発明のエアーベッドは、請求項２２から２４のいずれか一項記載のエアーベッドであって、前記エアーバルブに、加温または冷却空気を循環させるための空気循環器を更に接続したことを特徴とする。
上記構成によれば、ベッドのマント内に空気を循環させて、エアーベッドの簡易冷暖房を容易に行うことができる。
【発明の効果】
【００３２】  本発明のマット用チューブによれば、チューブをヘアピン状に屈曲しても空気の流通が遮断されないため、空気の循環による暖房や冷房が行えるエアーマット及びエアーベッドを単純な構成で作製できる。また、本発明のエアーマット及びエアーベッドによれば、加温または冷却した空気を循環させることにより、マットまたはベッドの簡易冷暖房を容易に行うことができる。更に、本発明のエアーマット用釣止部材によれば、容易にハンモック調のエアーベッドを作製することができる。更に、本発明のエアーベッド用拡張ボードによれば、エアーベッドのサイズを容易に変更することができる。
【発明を実施するための最良の形態】
【００３３】
【００３４】  以下、本発明の実施の形態におけるマット用チューブ、エアーマット、エアーベッド、エアーマット用釣止部材、エアーベッド用拡張ボードについて、図面を用いて詳細に説明する。尚、実施の形態を説明するための全図において、同一機能を有する部分は同一符号を付与し、説明は繰り返さないこととする。【００３５】  図１は、本発明の実施の形態におけるマット用チューブの外観を示す図である。マット用チューブ１０は、チューブ１１と、スパイラル線材１２と、で構成される。チューブ１１は、ゴムやビニール等の弾性、可撓性に優れる軟質樹脂で形成される。また、スパイラル線材１２は、樹脂や金属等で形成してスパイラル状に加工され、ヘアピン状に屈曲しても折れたりすることのない可撓性を有する。ゴムやビニール等で形成したチューブは、一般的にヘアピン状に曲げると腰折れし、チューブの内壁同士が接触して空気等の流通が遮断されるが、本発明のマット用チューブでは、内部にスパイラル線材１２が挿入されているため、どのように屈曲しても空気が移動するための経路が、少なくともスパイラル線材１２のスパイラルの外径以上に確保される。【００３６】  尚、スパイラル線材１２のスパイラルの外径が、チューブ１１の内径と同じ程度であると、チューブを屈曲させる際に小さな曲率で折り曲げることが困難で腰折れしやすいため、チューブ１１とスパイラル線材１２の関係は、チューブの内径を基準とする断面積が、スパイラルの外径を基準とする断面積の略２倍となる程度が最も好ましい。【００３７】  次に、上記構成のマット用チューブを用いて容易に作製できるエアーマットについて説明する。【００３８】  図２は、本発明の実施の形態におけるエアーマットの外観を示す図である。エアーマット２０は、主に、マット下側シート２１、マット上側シート２２、マット用チューブ１０、エアーマット２０内に空気を送出して循環させるためのジョイント部を含むエアーバルブ３０、などで構成される。マット下側シート２１とマット上側シート２２は周辺部を縫合して袋状のマット用袋体を形成する。形成されたマット用袋体の中には、マット用チューブ１０が、マットの横方向と凡そ同じ長さで、ヘアピン状に交互に屈曲させて、縦方向に配管されている。【００３９】  エアーマット２０のマット上側シート２２には、マット用チューブ１０の配管や取り外しが容易にできるように、開閉手段としてのファスナー２３が設けられている。マット用袋体内部のマット用チューブの配管及び固定の詳細については後述する。【００４０】  マット用チューブ１０の末端はそれぞれ、エアーマット２０の縦方向の端部の左右いずれか（即ち、エアーマットの４隅のいずれか）からマット下側シート２１を貫通して、マット下側シート２１の下面に沿って延出して、マット下側シート２１の下面に吊設されているエアーバルブ３０に接続する。マット用チューブの接続の詳細については後述する。【００４１】  また、エアーマット２０のマット下側シート２１には、このエアーマット２０をハンモックのように吊り下げて使用するための吊りベルト２４が逢着されている。エアーマット２０を釣止してハンモック調のエアーベッドとするためのエアーマット用釣止部材につ��ては後述する。【００４２】  尚、マット下側シート２１は、エアーマット自体の強度を担う性質上、その厚みはマット上側シート２２のそれより大きく構成することが好ましい。また、マット上側シート２２は、マット用チューブ１０を流通する空気の熱（または冷気による温度差）を適切に伝達できる厚みや材質であることが好ましい。【００４３】  また、エアーバルブ３０は、使用者が伏臥する際の頭と足の位置をエアーマットの上下と定義する場合、エアーマットの下側、即ち、足側に配置することが好ましい。これはエアーバルブ３０に接続する送風循環機（図示省略）からの振動音などの騒音を使用者の頭側から遠ざけるためである。また、マット用チューブ１０内に外部から温風を流入させる際の循環方向は、所謂「頭寒足熱効果」を実現するため、図のマット用チューブ内に矢印で示すように、足側から頭側へ循環させることが好ましい。【００４４】  次に、図３は、マット用チューブの配管及び固定の詳細を説明するための図である。
マット用チューブ１０の配管を、エアーバルブ３０からの経路に沿って説明する。エアーバルブ３０から、エアーマット２０の下面に沿ってマット下側シート２１の穴部（図中のＡで示す位置）まで配管されたマット用チューブ１０は、当該穴部からマット用袋体の内部へ進入する。マット用チューブ１０は、図に示すように、エアーマット２０の横方向へ交互に折り曲げられて、エアーマットの縦方向へ配管される。【００４５】  図に示すように、マット用チューブ１０の屈曲部には、所定間隔で形成された複数のマット下側シート穴部２５を介して、繋止手段としての屈曲部固定用ロープ２６が編成される。屈曲部固定用ロープ２６は、末端では結び目２６ａを形成し、マット用チューブ１０の屈曲部を挟んで屈曲固定部２６ｂを形成するように編成される。このような編成により、エアーマット２０内に配管されたマット用チューブ１０の屈曲部が適切に固定される。【００４６】  次に、図４は、マット用チューブの接続の詳細を説明するための図である。エアーマット２０の外部へ突出したマット用チューブ１０の末端は、それぞれマット下側シート２１の下面に沿って延出して、チューブジョイント部３１でエアーバルブ３０に接続する。ここで、エアーバルブ３０について説明する。エアーバルブ３０は、マット用チューブ１０と外部の送風循環機（図示省略）を接続して、エアーマット内に加温または冷却した空気を循環させるためのジョイント部を含むバルブである。エアーバルブ３０は、マット用チューブを接続するチューブジョイント部３１と、送風循環機からの配管を接続する送風ジョイント部３２とをそれぞれ２箇所有する。送風循環機から送風ジョイント部３２を介してエアーバルブ３０に流入した空気は、一方のチューブジョイント部３１から送出され、エアーマット２０内に配管したマット用チューブ１０内を循環してもう一方のチューブジョイント部３１へ戻る。循環した空気はもう一方の送風ジョイント部３２から送風循環機へ排出される。【００４７】  尚、エアーバルブ３０は、エアーバルブ保持具３３を介してエアーマット２０のマット下側シート２１の下面に吊設される。また、図５に示すように、マット下側シート２１の下面に沿って延出するマット用チューブ１０は、チューブ保持ベルト２７で固定される。【００４８】  ところで、上記のエアーマット２０において、マット用チューブ１０の配管を工夫して、エアーバルブ３０がマット用チューブと同一平面、即ち、マット用袋体の中に配置されるようにしてもよい。その際も、エアーバルブ３０は、エアーマットの下側、即ち、足側に配置されることが好ましい。【００４９】  尚、上記で説明したエアーマットは、後述するベッド用マットとしての用途の他にも、直接床面に敷設して暖房可能なカーペットとしての利用など、マット状の簡易冷暖房装置としてのあらゆる応用が可能である。【００５０】  ［実施の形態１］  次に、上記構成のエアーマット２０を用いて容易に作製できるエアーベッドについて説明する。エアーベッドは、エアーマットを吊りベルトで釣止してハンモックのようにして使用するベッドである。【００５１】  図６は、本発明の実施の形態１におけるエアーベッドの外観を示す図である。エアー��ッド１００は、主に、吊りベルト２４を逢着したエアーマット２０、エアーマット２０を釣止するためのエアーマット用釣止部材４０、などで構成されるが、図ではエアーマット用釣止部材４０を強調して示している。エアーマット用釣止部材４０は、主に、底面固定台座４１、支持棒４２、釣止金具４３、ターンバックル４４、などで構成される。図に示すように、４本の支持棒４２は、底面固定台座４１の４隅から斜め上方に延出しており、その先端にエアーマット２０の吊りベルト２４を挿入するための穴部４２ａを有する。移動自在な状態で支持棒４２に挿入されている釣止金具４３は、ターンバックル４４を介して吊りベルト２４を釣止するための金具で、バネの力により吊りベルト２４を緊張させた状態で固定することができる。【００５２】  図７は、エアーマット用釣止部材４０でエアーマット２０を釣止した状況を説明するための図である。エアーマット２０の吊りベルト２４にターンバックル４４を掛けられ、ターンバックル４４のもう一方の末端は同様に釣止金具４３に掛けられている。使用者は、釣止金具４３を掴みながら底面固定台座４１の方向へ移動させ、吊りベルト２４が適切に緊張した状態で釣止金具４３を離すと、ターンバックル４４の張力と釣止金具４３のバネ力により、釣止金具４３が固定される。このようにエアーマット用釣止部材４０でエアーマット２０を釣止し、底面固定台座４１を床面等に適切に固定することで、ハンモック調のベッドを構成することができる。エアーベッド１００は、マント用チューブに空気を充填することにより得られるエアーマット２０自体のクッション性に加え、エアーマット２０を釣止したことによるクッション性も得られるため、快適性を向上させることができる。【００５３】  ［実施の形態２］  次に、上記構成のマット用チューブ１０を用いて容易に作製できる別のエアーベッドについて説明する。【００５４】  図８及び図９は、本発明の実施の形態２におけるエアーベッドの外観を示す図である。エアーベッド２００は、主に、ベッド本体５０、マット用チューブ１０で形成するマット本体６０、エアーバルブ３０、などで構成される。ベッド本体５０は、ベッドの縦方向に縦長パイプ５１ａを有するベッド用架台５１、縦長パイプ５１ａ上に所定間隔で縦方向に固定された横長パイプ５２、で構成される。エアーバルブ３０は、エアーバルブ保持ベルト３４で横長パイプ５２の下方に吊設される。このエアーベッド２００では、上記構成のベッド本体５０に、マット用チューブ１０を、図に示すように、横長パイプ５２の左右の突起部分で交互に折り曲げて橋架させ、チューブのそれぞれの末端を吊設したエアーバルブ３０に接続するだけでマット本体６０を作製できる。【００５５】  尚、図１０に示すように、マット用チューブ１０で形成したマット本体６０の上面にマット用シート６１を被覆するようにしてもかまわない。また、横長パイプ５２の縦長パイプ５１ａへの固定は、溶接やネジ止めなどあらゆる手段を用いてかまわない。【００５６】  ［実施の形態３］次に、上記構成のマット用チューブ１０を用いて容易に作製できる更に別のエアーベッドについて説明する。【００５７】  図１１及び図１２は、本発明の実施の形態３におけるエアーベッドの外観を示す図である。エアーベッド３００は、主に、エアーベッド用拡張ボード７１をベッドの横方向に複数連結して形成したベッド本体７０、マット用チューブ１０で形成するマット本体８０、エアーバルブ３０、などで構成される。エアーベッド用拡張ボード７１は、マット用チューブ１０と略同径の穴部７１ａを所定の間隔で２列設けた縦長の矩形のボードで、ボードの縦方向の両端に折り曲げ可能なボード脚部７１ｂを有する。ボード脚部７１ｂは、図１２に示すように、回転させることによりベッド本体７０の高さ調整を行うことができる。エアーバルブ３０は、１つのエアーベッド用拡張ボード７１の下面に吊設される。このエアーベッド３００では、複数のエアーベッド用拡張ボード７１で構成したベッド本体７０の横方向にマット用チューブ１０を掛架して、ベッドの縦方向に所定の間隔で配管する。配管は、エアーベッド用拡張ボード７１の１つの穴部７１ａから挿入したマット用チューブ１０を折り曲げて隣接する穴部７１ａから突出させ、ベッドの横方向の反対側の穴部７１ａへ掛架させるという要領で行い、チューブのそれぞれの末端を吊設したエアーバルブ３０に接続するだけでマット本体８０を作製できる。【００５８】  図１３は、エアーベッド用拡張ボード７１の連結例を示す図である。連結するエアーベッド用拡張ボード７１の数により、ベッド本体７０の幅を自在に変更することができる。尚、エアーベッド用拡張ボード７１の連結手段は、通常の機械的な連結手段の他にも、例えばマグネットやベルクロテープなど、あらゆる手段を用いてよい。また、エアーバルブ３０を吊設するエアーベッド用拡張ボード７１には、穴部７１ａを設けないようにしてもよい。
【産業上の利用可能性】
【００５９】  本発明に関わるマット用チューブ、エアーマット、エアーベッド、エアーマット用釣止部材、エアーベッド用拡張ボードは、単純な構成で空気の循環による暖房や冷房が行えるという効果を有し、ベッド用または床面用の簡易冷暖房において有用である。
【図面の簡単な説明】
【００６０】
【図１】  本発明の実施の形態におけるマット用チューブの外観を示す図
【図２】  本発明の実施の形態におけるエアーマットの外観を示す図
【図３】  マット用チューブの配管及び固定の詳細を説明するための図
【図４】  マット用チューブの接続の詳細を説明するための図
【図５】  マット下側シート下面におけるマット用チューブの保持状況を説明するための図
【図６】  本発明の実施の形態１におけるエアーベッドの外観を示す図
【図７】  エアーマット用釣止部材でエアーマットを釣止した状況を説明するための図
【図８】  本発明の実施の形態２におけるエアーベッドの外観を示す図（斜視図）
【図９】  本発明の実施の形態２におけるエアーベッドの外観を示す図
【図１０】  マット本体の上面にマット用シートを被覆した状態を説明するための図
【図１１】  本発明の実施の形態３におけるエアーベッドの外観を示す図（斜視図）
【図１２】  本発明の実施の形態３におけるエアーベッドの外観を示す図
【図１３】  エアーベッド用拡張ボードの連結例を示す図
【符号の説明】
【００６１】１０  マット用チューブ
１１  チューブ
１２  スパイラル線材
２０  エアーマット
２１  マット下側シート
２２  マット上側シート
２３  マット袋体のファスナー
２４  吊りベルト
２５  マット下側シート穴部
２６  屈曲部固定用ロープ
２６ａ  結び目
２６ｂ  屈曲固定部
２７  チューブ保持ベルト
３０  エアーバルブ
３１  チューブジョイント部
３２  送風ジョイント部
３３  エアーバルブ保持具
３４  エアーバルブ保持ベルト
４０  エアーマット用釣止部材
４１  底面固定台座
４２  支持棒
４２ａ  穴部
４３  釣止金具
４４  ターンバックル
５０  ベッド本体
５１  ベッド用架台
５１ａ  縦長パイプ
５２  横長パイプ
６０  マット本体
６１  マット用シート
７０  ベッド本体
７１  エアーベッド用拡張ボード
７１ａ  ボード穴部
７１ｂ  ボード脚部
８０  マット本体
８１  マット用シート
【図１】
2006255341.tif 000003
【図２】
2006255341.tif 000004
【図３】
2006255341.tif 000005
【図４】
2006255341.tif 000006
【図５】
2006255341.tif 000007
【図６】
2006255341.tif 000008
【図７】
2006255341.tif 000009
【図８】
2006255341.tif 000010
【図９】
2006255341.tif 000011
【図１０】
2006255341.tif 000012
【図１１】
2006255341.tif 000013
【図１２】
2006255341.tif 000014
【図１３】
2006255341.tif 000015